(57)【要約】【課題】  卓上において、単純な構造で専有空間が小さく、書物やクリップボード、さらにタブレットＰＣを含めた各種の平板状視覚メディアに対応し、平坦に近い低角度から直角に近い高角度にいたる広範囲な傾斜角で搭載物を固定することが可能な卓上書見台を提供すること。【解決手段】断面が、主要な１つの線分と、当該線分の両端を連結する１つ以上の連続する円弧、楕円弧、その他の曲線または１つ以上の線分の組み合わせからなる図形となる柱体（１）の縦軸を水平にした位置で主要平面上に搭載物本体（７）または搭載物を搭載する搭載板（１５）を搭載し、卓上などの平面上で当該卓上面との位置関係および搭載物との位置関係を変化させることで搭載物の傾斜角を調節する構造を基本とすることでシンプルで堅牢な書見台が実現される。【選択図】図１
2014004311.tif 000002
【特許請求の範囲】
【請求項１】
断面が、主要な１つの線分と、当該線分の両端を連結する１つ以上の連続する円弧、楕円弧、その他の曲線または１つ以上の線分の組み合わせからなる図形（通常は全体として半円に近い形状）になる柱体（１）の縦軸を水平にした位置で主要平面（断面図の図形では主要な線分の位置に相当する）上に搭載物本体（７）、搭載物を搭載する搭載板（１５）、またはシート状の付属要素（図６の１５）と一体となった板状の搭載物（図６）を搭載し、卓上などの平面上で当該卓上面との位置関係および搭載物との位置関係を変化させ、必要に応じて柱体（１）の周囲の一部（背面または主要平面）に連結する支持体またはスペーサー（３、１６）を使用することで搭載物の傾斜角を調節し、搭載物と柱体を自然の摩擦力のみによるか、または搭載物の一部を上から押さえる構成要素（ページ押さえ）（２）、搭載物の下端を支えるストッパー（６）、接触面間を固着する材料（１１、１２）、あるいは接触面間を連結する構造（ピン、溝など、図４）で固定する構造を有する書見台。ただし前記柱体（１）は完全な柱体である必要はなく、搭載物を卓上に支えることができる限りの部分を備えていれば、それ以外の部分は柱体として欠落していても、付加的構造を持つことも差し支えなく、内部構造を持つ構造体も可能であり、左右が一体構造である必要もない。
【請求項２】
上記「請求項１」の書見台本体（柱体）と搭載物本体、または搭載物本体をただ搭載するか、または何らかの方法で固定する機構を備えた搭載板とを磁性材料と磁性吸着材料、マジックテープなどの面ファスナー、あるいはピンとピン穴、溝（図４）、レール、その他何らかの連結機構を使用し、搭載物の傾斜角を連続的あるいは段階的に変えられる異なった位置で固定する「請求項１」の書見台。
【請求項３】
上記「請求項１」の書見台本体の柱体の両端に付加され、搭載物をその左右両端またはその一端で上からスプリングまたは弾性材による弾性力で押さえる構成要素（ページ押さえ、１０）を持つところの「請求項１」の卓上書見台。
【請求項４】
内部空間を持つ本体柱体内部に巻き取って収納され、軸方向に開けられた細いスリットから引き出されるシート状の材料（布など）（図３の１３）に接合されたストッパー（図３の６）によって、本体柱体の主要平面上の搭載物または搭載板を固定する「請求項１」の卓上書見台。
【請求項５】
上記「請求項１」の書見台の傾斜角を大きく調節した場合に、本体柱体の一部分に密着する面またはピンなどの連結機構、またはその両方を有することで本体柱体と連結し、本体柱体と卓上面との、あるいは本体柱体と搭載物または搭載板との間隔をとる支持体またはスペーサーを結合することで、本体柱体がそれ自体では安定しない急角度の場合や、本体柱体を卓上面から離れた高所に保持する場合に支持体として機能する１つ以上の別の柱体（支持体、３、１６）を組み合わせる事によって大きな傾斜角を保持する上記「請求項１」の書見台。
【発明の詳細な説明】
【技術分野】
【０００１】  本発明は卓上において堅牢で邪魔にならず書物、タブレットＰＣなどの視覚メディア、およびその他一般の書面を見やすくし、かつ書き込みなどの使用にも有利に対応するための補助具を提供することを目的とする。
【背景技術】
【０００２】  書見台は古くから存在するが、卓上で使用できる書見台には省スペース性と簡単な構造が要求されるため、あまり使用されていないように思われる。【０００３】  一方、最近になってタブレットＰＣが普及し始めたが、タブレットＰＣは大きさの割に重量が大きく、長時間手に持つには不便であり、またＰＣや他の書物、書類と併用する場合、すべてを卓上に平面的に並べることで作業性が低下するのは書物の場合と同様である。【０００４】  書物であれタブレットＰＣであれ、その他の書面であれ、それぞれを卓上で見やすい角度に安定して設置できれば便利なのであるが、現在にいたるまでそういう目的に使い易い様式で対応できるような製品がないというのが実情であると思われる。
【先行技術文献】
【特許文献】
【０００５】
【特許文献１】登録実用新案第３０５９７１１号
【特許文献２】登録実用新案第３１６４７６６号
【特許文献３】登録実用新案第３１６５７７１号
【特許文献４】登録実用新案第３１６６１５８号
【特許文献５】登録実用新案第３１６６１６３号
【特許文献６】登録実用新案第３１６８１４７号
【特許文献７】登録実用新案第３１６８３１１号
【特許文献８】特許公表２００１−５２５２３７
【特許文献９】特許公開平０９−２９９１５５
【特許文献１０】特許公開２００３−０７０５５３
【特許文献１１】特許公開２００３−０９３１６４
【特許文献１２】特許公開２００４−１６４５３
【特許文献１３】特許公開２００５−２３０５１３
【発明の概要】
【発明が解決しようとする課題】
【０００６】  先行技術を示す前記の特許文献は、いずれも簡便性を趣旨とした卓上型の書見台であるが、共通して、書物やタブレット、クリップボードなどの搭載物の占有面積に近いかそれ以上の面積を持つ搭載板を持つことに加え、それを卓上で背後から支える支持体（つっかえ棒、板）、さらに場合によっては搭載板と支持体の両方を結合する台板を含む２〜３の基本的な構成要素を結合するメカニカルな構造を持つことで共通している。つまり、現実に一体となって繋がっているか分離しているかに関わらず、２つ以上の部品の機械的な結合部を持ち、そのために角度を調整する結合部が動いたり、結合部そのものを移動させたりするという煩雑さを持ち、それが何らかの不安定要因（構造の崩壊、倒れやすさ、破損しやすさ）および、占有空間の大きさに繋がっている。【０００７】  また、多くの場合は角度を調整できるものの、調整範囲はかなり限られ、平坦に近い低角度から直角に近い急角度に至るまでをカバーできるものは実現できていないように見受けられる。【０００８】  さらに、搭載物の重量が大きい場合にはそれを支えるだけの強度を持つ必要があり、搭載板の強度が小さい場合や数枚の書面シートに対応するクリップボード形式のものはタブレットや大型本のような重量物には対応できない場合も考えられる。【０００９】  上記４点、すなわち、機械的可変部を伴う構造を持つことに起因する不安定性、壊れやすさ、広い専有面積または大きな占有空間が必要なこと、角度の調整範囲が限られること、および重量物に対応する必要性、この４点を解決することが本発明の課題である。
【課題を解決するための手段】
【００１０】  円柱（請求の範囲に記述するように必ずしも円柱である必要はないが、本文中では代表例として円柱で表す）を縦に切断した形の柱体（図１の１はその断面図を表す）を本体とし、円柱の稜線が卓上面に接するように置き、その平坦な面（以下では主要平面と称する）に搭載物を載せることにより、本体を前後に動かすだけで搭載物の傾きを低角度から中角度域で（図１のａ、ｂ）で無段階的に調節することができる。【００１１】  この場合、搭載物を載せるだけでは滑り落ちたり、本体の位置が前後にずれたりする可能性があるので、上から押さえる構成要素、すなわち書物の場合はページ押さえ（２）または滑りを止めるストッパー（６）、あるいはその他の本体と搭載物とを固着させる構成要素が必要になる。【００１２】  通常、上から押さえる構成要素は本のページ押さえクリップ類のように、多くの書見台に付属する要素であり、本発明の場合も本体の左右にクリップなど、搭載物を固定する付属構成要素（代表例として以後はページ押さえと称する）を付加することで実現可能である。【００１３】  上から押さえる要素ではなく、上記本体の装着面と搭載物に磁性材料と磁性吸着材料、面ファスナーのペア、ピンとピン穴等の、搭載物を固着または連結する要素（１１と１２、図４の１５下部の溝）を付加する方法も可能である。この場合は前記柱体の長さを搭載物の横幅よりも短くすることができ、さらに省スペースとなる。タブレットＰＣなどではすでに壁面などへの固着に面ファスナーが使用されているようであるが、この種の固着要素を直接装着できない書物などのためには、搭載物本体を何らかの方法で搭載した従来型書見台の搭載板部分のみに相当する搭載板に当該固着材料または連結構造を装着または組み込み、間接的に搭載物を装着する方法も可能である（図４）。【００１４】  以下の記述において搭載板は図４における１５のように搭載物を単に載せるだけ、あるいは載せた搭載物を他の何らかのページ押さえ機構で固定する構造物の他に、図６の１５のように搭載物と一体化して搭載板として機能する材料も意味するものとする。【００１５】  例えばタブレットＰＣのように重量があり、かつページ押さえの必要がない場合は、ストッパー（６）によって代替でき、その場合に本体にストッパーを付属させるには本体から巻尺のように引き出すような構造が考えられる（図３）。この図の場合、ストッパーはシート（布など）に接合されている。柱体との装着部を固定できれば、この種のストッパーは必要ではないが、逆にこのストッパーを使用することにより、固着性材料を搭載物や搭載板に接合する必要がなくなる。【００１６】  傾きを急角度にする場合（図１のｃ）は、重心が柱体の支点の後方にくるので、そのままでは後ろに倒れることになる。この場合、本体柱体を背後で支えるか（ｃ−１）、本体の柱体が卓上面から高められた位置で本体柱体を支持する本体とは別の柱体からなる支持体を組み合わせることで急角度を実現できる（ｃ−２）。または本体柱体を急角度まで傾けずに、本体柱体と搭載物の間にスペーサーを挿入することによって急角度を実現する（図７）ことも可能である。急角度を実現するには他にも各種の付加的構造が考えられるが、背後支���体またはスペーサーを使用することで本発明のシンプルな構造との一貫性を保つことができる。この支持体またはスペーサーは本体と同様に柱体であるが、これらの柱体（３、１６）は、本体の柱体と同一の長さを持つ必要はない。【００１７】  この柱体の背後支持体（３）は、本体と同様、ある程度の摩擦係数を持つ材料であれば、本体円柱部分と密着するだけで固定されるものと考えられるが（図１のｃ−２）、確実に固定するための連結機構としてピン（４）を設け、本体に設けたピン穴（５）に嵌め込む方法（図１のｃ−１）などが考えられる。【００１８】  この背後支持体は、傾斜角が大きく、搭載物を含めた全体の重心が支点よりも後方に来る場合に必要なものであるが、支点よりも前方にある場合でも、小型のものを使用することで押された場合の後転を防止することができる（図１のｂ）。【００１９】  他方、重心が支点よりも後方に来るような急角度の場合は本体柱体を卓上面から持ち上げる位置で支持できる形状にする方が安定して支持することができる（図１のｃ−２）。【００２０】  本発明においては基本的に全体の重心は手前に来ることで、また本体柱体の支点はより後方に位置することで安定性が得られる。本体柱体を大きくすることで支点を後方に移動させることは可能であるが、他方、（１）低角度に調節できなくなる、（２）嵩と重量が増す、という欠点と同時に、（３）本体柱体の重心が後方に移動する、という欠点も生じるので、必要以上に柱体を大きくすることは意味がない。ただし、重心の位置を前に寄せるために、図８のように後方を空洞にし、手前に重い材料を使用することができる。
【発明の効果】
【００２１】  所期の目的であるところの、卓上で場所を専有せず、シンプルな構造で破損しにくく、実用的かつ広範囲の傾斜角、広範な対象（書籍、クリップボード、タブレットＰＣその他の視覚メディア）に対応する卓上書見台が実現される。
【図面の簡単な説明】
【００２２】
【図１】低角度（ａ）、中角度（ｂ）、および高角度（ｃ）において搭載物が固定される原理を示す模式断面図。
【００２３】
【図２】本体端部の付加構造に付属する弾性体によって搭載物を固定する実施例の片側を示す見取り図。
【００２４】
【図３】本体からストッパー（６）を引き出す方式の一例を示す断面図。
【図４】搭載物を載せる搭載板を使用する場合の実施例を示す断面図。
【図５】本体柱体を特に高められた位置で支持する背後支持体の一例を示す断面図。
【図６】搭載物と一体化することで搭載板として機能する搭載板の一例を示す断面図。
【図７】本体柱体の主要平面側にスペーサーを追加する場合の原理を示す断面図。
【図８】本体柱体の重心を手前に移動させる構造の一例を示す断面図。
【発明を実施するための形態】
【００２５】  ページ押さえは各種クリップなど、既存の様々な付加構造が考えられるので、実施例のセクションで一例を示す。
【００２６】  搭載物の両側で固定する場合は通常、両側を固定する必要があるが、装着物の横幅は通常は様々である。そのために、左右を切り離し、２体構造とすることができる。（図は省略）。
【００２７】  左右２体構造とするかわりに、伸縮性をもたせ、左右長を調節できる構造にすることも可能と考えられる。（各種の可能性が考えられるので図は省略）。
【実施例】
【００２８】  図２は、搭載物を固定するページ押さえに弾性体を使用する一例を示す。直接押さえる弾性体部はスプリングを使用するか、クッション材を用いるか、あるいはその両方を使用することで実現できる。【００２９】  搭載物に直接触れる部分に回転可能なローラーを使用すると、本のページめくりに対応し易くなる。【００３０】  タブレットＰＣのように硬質で厚みに変化が少ないものを対象とする場合はクッション材だけで対応することも可能と考えられる。【００３１】  タブレットＰＣなどの場合でページ押さえなどを使用せずに固着性材料（１１、１２）を使用する方式の場合は図１に断面を示した要素だけで構成される。本体柱体（１）の横幅は搭載物よりも短くすることが可能で、背後支持体（３）の横幅は本体柱体よりもさらに短くすることができる。【００３２】  搭載物を何らかの方法で固定できる搭載板を本体（１）に連結する機構としてはピン、レール、溝（図４）等、各種の方法が考えられる。【００３３】  図３は、ストッパーを使用する方式の１例の断面図である。ストッパー（６）に接着され、本体（１）に収納された芯（１４）から巻き戻され、引き出されるシート（１３）の素材としては布などが使用できる。【００３４】  図４は、搭載物を載せる専用の搭載板を使用する方法の一例である。この実施例では本体の柱体と搭載板との双方の接触面に刻んだ多数の溝を噛み合わせることで歯車のように連結している。この連結方法では搭載板を持ち上げることで咬み合いは外れ、溝と山の咬み合う位置に乗せることで固定されるので、連続的にスライドさせることはできない。【００３５】  この種の搭載板を使用する方式のメリットの１つに、重心を手前すなわち下方に移動できることが挙げられる。材質と構造の組み合わせにより、重心を手前に持ってくることで、背後支持体を使用することなく傾斜角をより急角度に調節することが可能になる。【００３６】  別のメリットとして、搭載板自体に搭載物の目的に合わせた機構、たとえばページ押さえなどを付加することが可能になる。デメリットとしては、搭載板の分だけ嵩張り、重量が増し、携帯性において他の方式に劣る点が挙げられる。【００３７】  図５は、支持体を高くすることで、搭載物を卓上面から離し、高く持ち上げることも可能にする実施例である。面ファスナー等の固着材料を使用した場合に適しているが、搭載物が卓上面に接触する場合に比べて角度の調節範囲は限定されることになる。【００３８】  図４のような搭載板を使用する場合も、背後支持体によって搭載物を卓上面から離れた高所に持ち上げることは可能であるが、重量が増すために、固着材料を使用する場合に比べて更に角度の調節範囲が限られることになる。またより強固な連結機構と、より強固で安定した支持体が求められることになる。【００３９】  図２のように本体の両端に付加されたページ押さえによって固定する場合も、背後支持体によって搭載物を卓上面から離れた高所に維持することができる。この場合も角度の調節範囲は制限されると同時に、滑り落ちることを防止するため、より強固に両端のページ押さえで固定する必要性が生じる。【００４０】  搭載物と一体になることで搭載板として機能する搭載板（図６）���場合は、ゴムのような柔軟性のある薄く軽量な材料で作成できるため、卓上面から離れた高所に持ち上げた場合、厚く重量のある搭載板よりは急角度にすることも可能である【００４１】  スペーサー（１６）を使用して急角度を実現する場合、やや不安定になり、上部を強く押すと倒れる可能性も出てくるので、背後支持体（３）を併用することが望ましい。
【産業上の利用可能性】
【００４２】  卓上でのあらゆる事務作業や読書に書見台を使用できる範囲が飛躍的に広がるものと考えられる。【００４３】  さらに、最近普及が著しいタブレットＰＣに適しているために、タブレットＰＣの有用性が高まるものと期待できる。
【符号の説明】
【００４４】１    本体の断面
２    搭載物を押さえるページ押さえ
３    高角度の場合に使用する背後支持体の断面
４    背後支持体の一部をなすピン
５    ４のピンを挿入するピン穴（この図では３ヶ所）
６    ストッパー（２を使用しない場合）
７    搭載物
８    搭載物の重心
９    卓上面
１０  弾性体のページ押さえ
１１  固着性材料（本体側）
１２  固着性材料（搭載物側）
１３  本体から引き出せるシート状のもの（布など）
１４  シートの巻き取り芯
１５  搭載板
１６  本体柱体と搭載物の間に挿入されるスペーサー
【図１】
2014004311.tif 000003
【図２】
2014004311.tif 000004
【図３】
2014004311.tif 000005
【図４】
2014004311.tif 000006
【図５】
2014004311.tif 000007
【図６】
2014004311.tif 000008
【図７】
2014004311.tif 000009
【図８】
2014004311.tif 000010